(57)【特許請求の範囲】
【請求項１】
建築物の土台部に配設されると共に，外壁板の表側面を伝って流下してきた雨水を前方へ排出する土台水切において，
該土台水切は，互いに組み付けられた水切本体とカバー部材とからなり，
上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，
上記カバー部材は，上記カバー取付部に接続するための接続部と，上記下方隙間部を塞ぐ閉塞部とを有し，該閉塞部は可撓性を有する樹脂により形成されており，
かつ，上記閉塞部には，上下に貫通した排水通気穴が設けてあり，
また，上記カバー部材は，上記前板部と上記建築物の土台の前面との間における下方隙間部から空気を取り入れて土台部の通気を図ると共に，鼠等の小動物の侵入を防ぐことができるよう構成されており，
上記カバー取付部の前方には，上記前板部に対して一定距離後方の位置に化粧板が配設されていることを特徴とする土台水切。
【請求項２】
請求項１において，上記支承板部には，上下に貫通した排水通気穴が設けてあることを特徴とする土台水切。
【請求項３】
請求項１又は２において，上記水切板部の下面側及び上記前板部の後面側には，上記土台水切を左右に連結する連結板を嵌合させるための接合凹部が形成されていることを特徴とする土台水切。
【請求項４】
外壁板の表側面を伝って流下してきた雨水を前方へ排出する土台水切を，建築物の土台部に配設してなる土台部施工構造において，
上記土台水切は，互いに組み付けられた水切本体とカバー部材とからなり，上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，上記カバー部材は，上記カバー取付部に接続するための接続部と，上記下方隙間部を塞ぐ閉塞部とを有し，該閉塞部は可撓性を有する樹脂により形成されており，かつ，上記閉塞部には，上下に貫通した排水通気穴が設けてあり，上記カバー取付部の前方には，上記前板部に対して一定距離後方の位置に化粧板が配設されており，
上記土台部施工構造においては，上記土台水切が，上記建築物の構造躯体に，上記背板部の裏側面を当接させた状態で固定されており，胴縁等の下地材が，該下地材の下端面を上記支承板部に当接させた状態で上記背板部の前方に配設されており，最下段の上記外壁板が，上記下地材の前面に留め付け金具を介して留め付けられており，
かつ，上記カバー部材は，該カバー部材の後端を上記建築物の土台前面に当接させた状態で配設されていることにより，上記下方隙間部を閉塞して，上記前板部と上記建築物の土台の前面との間における下方隙間部から空気を取り入れて土台部の通気を図りつつ，鼠等の小動物の侵入を防ぐことができるよう構成されていることを特徴とする土台部施工構造。
【請求項５】
外壁板の表側面を伝って流下してきた雨水を前方へ排出する土台水切を，建築物の土台部に配設してなる土台部施工構造において，
上記土台水切は，互いに組み付けられた水切本体とカバー部材とからなり，上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，上記カバー部材は，上記カバー取付部に接続するための接続部と，上記下方隙間部を塞ぐ閉塞部とを有し，該閉塞部は可撓性を有する樹脂により形成されており，かつ，上記閉塞部には，上下に貫通した排水通気穴が設けてあり，上記カバー取付部の前方には，上記前板部に対して一定距離後方の位置に化粧板が配設されており，
上記土台部施工構造においては，上記土台水切が，上記建築物の構造躯体に，上記背板部の裏側面を当接させた状態で固定されており，留め付け金具が，該留め付け金具の下端面を上記支承板部に当接させた状態で，上記背板部の前方に配設されており，最下段の上記外壁板が上記留め付け金具に係止されており，
かつ，上記カバー部材は，該カバー部材の後端を上記建築物の土台前面に当接させた状態で配設されていることにより，上記下方隙間部を閉塞して，上記前板部と上記建築物の土台の前面との間における下方隙間部から空気を取り入れて土台部の通気を図りつつ，鼠等の小動物の侵入を防ぐことができるよう構成されていることを特徴とする土台部施工構造。
【請求項６】
請求項４又は５において，上記支承板部には，上下に貫通した排水通気穴が設けてあることを特徴とする土台部施工構造。
【請求項７】
請求項４〜６のいずれか一項において，上記水切板部の下面側及び上記前板部の後面側には，上記土台水切を左右に連結する連結板を嵌合させるための接合凹部が形成されており，左右に隣合う上記土台水切は，上記接合凹部に嵌合した上記連結板を介して連結されていることを特徴とする土台部施工構造。
【発明の詳細な説明】
【０００１】
【技術分野】
本発明は，建築物の土台部に配設されると共に，外壁板の表側面を伝って流下してきた雨水を前方へ排出する土台水切，及びこれを用いた土台部施工構造に関する。
【０００２】
【従来技術】
従来より，図２１に示すごとく，建築物の土台部に土台水切９を配設し，外壁板２の表側面２２を伝って流下してきた雨水を前方へ排出するよう構成した，土台部施工構造８がある。
上記土台水切９は，背板部９１と，該背板部９１の下方において前方へ屈曲した支承板部９２と，該支承板部９２の下方において前方下方へ屈曲した水切板部９３と，該水切板部９３の前端から下方へ屈曲した前板部９４とを有する。更に，該前板部９４の後方であって上記水切板部９３の下方には，カバー板部９５が設けてある。該カバー板部９５は，上記前板部９４と土台３１の前面３１１との間における下方隙間部８１からの鼠等の小動物の侵入を防ぐ，いわゆる防鼠機能を有する。
【０００３】
具体的には，上記土台水切９のカバー板部９５の後端９５１は，上記土台３１の前面３１１に当接される。また，上記カバー板部９５には，鼠等の小動物が通過できない程度の大きさの排水通気穴９５２が複数設けており，該通気孔９５２を通じて外気を取り入れることにより，建物土台部の通気が図られるようになっている。
【０００４】
上記土台部施工構造８は，図２１に示すごとく，建築物の構造躯体３に，上記背板部９１の裏側面９１１を当接させて，釘８８により固定し，上記背板部９１の前方に縦胴縁４０（縦張りの場合には横胴縁）をその下端面４１が上記支承板部９２に当接した状態で配設し，該縦胴縁４０の前面４２に留め付け金具６を介して最下段の上記外壁板２を留め付けてなる。
また，上記縦胴縁４０の後面４３側には，防水紙８５が配設されている。
上記留め付け金具６は，上記縦胴縁４０，上記防水紙８５，上記背板部９１を介して，構造躯体３に釘８６によって固定してある。
【０００５】
上記構造躯体３は，土台３１の上面に土台パッキン３２を介して配設された土台柱３３及び縦柱３４等からなる。上記土台パッキン３２は，左右に間隔を設けて配設してある。
【０００６】
上記土台部施工構造８は，外壁板２の表側面２２を伝って流下してきた雨水を上記土台水切９の水切板部９３によって受けると共に，前方へ排出するよう構成されている。また，上記外壁板２の下端部２１１と上記水切板部９３との間から外気が導入されるようになっており，外壁板２の裏側面２３と構造躯体３との間に通気層８７が確保されている。
【０００７】
また，外観意匠性の観点から，通常，前板部９４が外壁板２の表面位置より数ｃｍ前方になるように施工すると共に，両者の位置関係を略一定となるようにする。
【０００８】
【解決しようとする課題】
しかしながら，上記土台水切９は，一般に，鋼板の折り曲げ加工品，アルミ押出成形品，或いは板樹脂成形品等として製造されるため，一体形状品である。そのため，図２２に示すごとく，土台部に上記土台水切９を施工したとき，該土台水切９と土台３１の前面３１１との位置関係によっては，カバー板部９５が，土台３１の適切な位置に当接されないという不具合が発生することがある。
【０００９】
即ち，上記土台水切３は，上述のごとく一体成形品であり，しかも，その機能上，ある程度の硬度を有する。そのため，例えば，上記カバー板部９５の後端９５１を当接させる土台３１の前面３１１が，図２１に示す位置よりも左方（前方）に配置される場合には，上記カバー板部９５を無理に湾曲させた状態で土台水切９を施工しなければならなくなる。
一方，上記カバー部材１６２を当接させる土台３１の前面３１１が，図２１に示す位置よりも右方（後方）に配置されている場合には，図２２に示すごとく，該カバー板部９５の後端９５１と土台３１の前面３１１との間に隙間８９が生じ，防鼠機能を充分に発揮することができなくなってしまう。
【００１０】
本発明は，かかる従来の問題点に鑑みてなされたもので，防鼠機能を確実に発揮すると共に，土台部の通気を確保することができ，かつ施工容易な土台水切及び土台部施工構造を提供しようとするものである。
【００１１】
【課題の解決手段】
第１の発明は，建築物の土台部に配設されると共に，外壁板の表側面を伝って流下してきた雨水を前方へ排出する土台水切において，
該土台水切は，互いに組み付けられた水切本体とカバー部材とからなり，
上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，
上記カバー部材は，上記カバー取付部に接続するための接続部と，上記下方隙間部を塞ぐ閉塞部とを有し，該閉塞部は可撓性を有する樹脂により形成されており，
かつ，上記閉塞部には，上下に貫通した排水通気穴が設けてあり，
また，上記カバー部材は，上記前板部と上記建築物の土台の前面との間における下方隙間部から空気を取り入れて土台部の通気を図ると共に，鼠等の小動物の侵入を防ぐことができるよう構成されており，
上記カバー取付部の前方には，上記前板部に対して一定距離後方の位置に化粧板が配設されていることを特徴とする土台水切にある（請求項１）。
【００１２】
次に，本発明の作用効果につき説明する。
上記カバー部材における上記閉塞部は可撓性を有する樹脂により形成されている。そのため，上記閉塞部を上記土台の前面に容易かつ確実に当接させることができる。
即ち，上記土台の前面と上記土台水切の位置関係が一定に保たれていない場合にも，上記閉塞部の前後方向の長さを予め長めに形成しておくことにより，上記カバー部材の閉塞部を上記土台の前面に確実に当接させることができる。そして，上記閉塞部が可撓性を有する樹脂により形成されていることによって，該閉塞部が邪魔になることなく，上記土台水切を容易に施工できる。
これにより，上記カバー部材が上記下方隙間部を確実に塞いで，防鼠機能を確実に発揮するよう施工することができると共に，施工が容易となる。
【００１３】
また，上記カバー部材の閉塞部には，上下に貫通した排水通気穴が設けられている。そのため，該排水通気穴から外気を取り入れることにより，土台部の通気を図ることができる。
【００１４】
また，上記土台水切は，上記カバー部材を水切本体に取り付けることにより形成される。それ故，上記外壁板の厚みに応じて，水切本体を変更して，水切板部の長さの異なるものを使用する際にも，同種の上記カバー部材を用いることができる。そのため，安価な土台部施工構造を得ることができる。
【００１５】
以上のごとく，本発明によれば，防鼠機能を確実に発揮すると共に，土台部の通気を確保することができ，かつ施工容易な土台水切を提供することができる。
【００１６】
第２の発明は，外壁板の表側面を伝って流下してきた雨水を前方へ排出する土台水切を，建築物の土台部に配設してなる土台部施工構造において，
上記土台水切は，互いに組み付けられた水切本体とカバー部材とからなり，上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，上記カバー部材は，上記カバー取付部に接続するための接続部と，上記下方隙間部を塞ぐ閉塞部とを有し，該閉塞部は可撓性を有する樹脂により形成されており，かつ，上記閉塞部には，上下に貫通した排水通気穴が設けてあり，上記カバー取付部の前方には，上記前板部に対して一定距離後方の位置に化粧板が配設されており，
上記土台部施工構造においては，上記土台水切が，上記建築物の構造躯体に，上記背板部の裏側面を当接させた状態で固定されており，胴縁等の下地材が，該下地材の下端面を上記支承板部に当接させた状態で上記背板部の前方に配設されており，最下段の上記外壁板が，上記下地材の前面に留め付け金具を介して留め付けられており，
かつ，上記カバー部材は，該カバー部材の後端を上記建築物の土台前面に当接させた状態で配設されていることにより，上記下方隙間部を閉塞して，上記前板部と上記建築物の土台の前面との間における下方隙間部から空気を取り入れて土台部の通気を図りつつ，鼠等の小動物の侵入を防ぐことができるよう構成されていることを特徴とする土台部施工構造にある（請求項４）。
【００１７】
上記カバー部材における上記閉塞部は可撓性を有する樹脂により形成されている。そのため，上記閉塞部を上記土台の前面に容易かつ確実に当接させることができる。
これにより，上記カバー部材が上記下方隙間部を確実に塞いで，防鼠機能を確実に発揮するよう施工することができると共に，施工が容易となる。
【００１８】
また，上記土台水切は，上記カバー部材を水切本体に取り付けることにより形成される。それ故，上記外壁板の厚みに応じて，水切本体を変更して，水切板部の長さの異なるものを使用する際にも，同種の上記カバー部材を用いることができる。そのため，安価な土台部施工構造を得ることができる。
以上のごとく，本発明によれば，防鼠機能を確実に発揮すると共に，土台部の通気を確保することができ，かつ施工容易な土台部施工構造を提供することができる。
【００１９】
第３の発明は，外壁板の表側面を伝って流下してきた雨水を前方へ排出する土台水切を，建築物の土台部に配設してなる土台部施工構造において，
上記土台水切は，互いに組み付けられた水切本体とカバー部材とからなり，上記水切本体は，建築物の構造躯体に固定する背板部と，該背板部の下方において前方下方へ屈曲した水切板部と，該水切板部の前端から下方へ屈曲した前板部と，上記水切板部の上方において上記背板部から前方へ立設され胴縁等の下地材又は留め付け金具を支承するための支承板部と，該前板部の下方かつ後方において上記カバー部材を嵌合するカバー取付部とを備え，上記カバー部材は，上記カバー取付部に接続するための接続部と，上記下方隙間部を塞ぐ閉塞部とを有し，該閉塞部は可撓性を有する樹脂により形成されており，かつ，上記閉塞部には，上下に貫通した排水通気穴が設けてあり，上記カバー取付部の前方には，上記前板部に対して一定距離後方の位置に化粧板が配設されており，
上記土台部施工構造においては，上記土台水切が，上記建築物の構造躯体に，上記背板部の裏側面を当接させた状態で固定されており，留め付け金具が，該留め付け金具の下端面を上記支承板部に当接させた状態で，上記背板部の前方に配設されており，最下段の上記外壁板が上記留め付け金具に係止されており，
かつ，上記カバー部材は，該カバー部材の後端を上記建築物の土台前面に当接させた状態で配設されていることにより，上記下方隙間部を閉塞して，上記前板部と上記建築物の土台の前面との間における下方隙間部から空気を取り入れて土台部の通気を図りつつ，鼠等の小動物の侵入を防ぐことができるよう構成されていることを特徴とする土台部施工構造にある（請求項５）。
【００２０】
この場合にも，上記第２の発明と同様に，防鼠機能を確実に発揮すると共に，土台部の通気を確保することができ，かつ施工容易な土台部施工構造を提供することができる。
【００２１】
【発明の実施の形態】
上記第１の発明（請求項１）において，「前」とは建築物の外側方向を，「後」とは建築物の内側方向を，それぞれ意味する。また，土台水切等の各部材に関しては，構造躯体に固定した状態において，「前」，「後」，「上」，「下」を定義する。以下においても，同様とする。
【００２２】
また，上記留め付け金具とは，外壁板を構造躯体に留め付けるための部材である。該留め付け金具は，例えば，外壁板の裏側面に当接する基板部と，該基板部から前方に立設された支承部と，該支承部から斜め上方へ屈曲した上板係止部とを有する。また，上記上板係止部及び下板係止部の前方には，前方平板部が形成されていてることが好ましい。また，上記基板部は，その上部において斜め後方に後退した斜面部を有すると共に，下端部において略９０°後方に屈曲した下方脚部を有することが好ましい。
また，上記構造躯体は，例えば，土台の上面に土台パッキンを介して配設された土台柱及び縦柱等からなる（図５参照）。
【００２３】
また，上記土台水切は，上記カバー取付部を上記前板部よりも後方に設けてなり，該前板部に対する上記カバー取付部の前面の位置が，あたかも一定の位置にあるように見せるための化粧板を配設してなることが好ましい。
即ち，例えば，上記化粧板の前面には，上記カバー取付部の前面と同様の化粧面を形成する。
この場合には，一層外観意匠性に優れた土台水切を得ることができる。
【００２４】
また，第１の発明（請求項１），第２の発明（請求項４），又は第３の発明（請求項５）において，上記カバー部材は，上記接続部と上記閉塞部とが夫々の機能を充分に発揮できる硬質の樹脂により形成してなることが好ましい。
この場合には，上記カバー部材を上記カバー取付部に，容易かつ安定して取り付けることができると共に，上記カバー部材の後端，即ち上記閉塞部の後端を，上記土台の前面に一層確実に当接させることができる。
例えば，上記カバー部材としては，樹脂系やゴム系の材料を，適切な硬度に調整したものを使用することができる。
【００２５】
また，第１の発明（請求項１），第２の発明（請求項４），又は第３の発明（請求項５）において，上記支承板部には，上下に貫通した排水通気穴が設けてあることが好ましい（請求項２，請求項６）。
この場合には，構造躯体と外壁板との間において，万一，結露，或いは雨水の浸入があった場合にも，これらの水は流下して上記支承板部の排水通気穴から水切板部の上面へ排出することができる。
【００２６】
また，上記水切板部の下面側及び上記前板部の後面側には，上記土台水切を左右に連結する連結板を嵌合させるための接合凹部が形成されていることが好ましい（請求項３）。
これにより，上記土台水切を複数個左右に継ぎ合せて配設した場合，隣合う左右の土台水切を上記連結板によって連結することができる。そのため，左右の土台水切が前後或いは上下にずれて配置されたり，両者の間に隙間が生じたりすることを防ぐことができる。
それ故，土台部の外観意匠性を向上させることができると共に，左右の土台水切の間からの漏水を防ぐことができる。
【００２７】
次に，上記第２の発明（請求項４）又は上記第３の発明（請求項５）において，上記土台水切は，上記カバー取付部を上記前板部よりも後方に設けてなり，該前板部に対する上記カバー取付部の前面の位置が，あたかも一定の位置にあるように見せるための化粧面を有する化粧板を配設してなることが好ましい。
この場合には，一層外観意匠性に優れた土台水切を得ることができる。
【００２８】
また，上記土台水切は，上記外壁板の厚みに応じた長さの水切板部を有しており，かつ，上記土台水切は，上記カバー取付部と上記背板部との互いの位置関係，及び上記化粧板と上記前板部との互いの位置関係が，それぞれ略一定となるよう配置していることが好ましい。
【００２９】
この場合には，異なる厚みの外壁板を用いるのに伴い，水切板部の寸法が異なる水切本体を用いる場合にも，同寸法のカバー部材を用いることができる。それ故，土台部施工構造を安価に得ることができる。
また，上記化粧板を上記のごとく配設することにより，外壁板の表側面と，土台水切の前板部と，化粧板との位置関係を，略一定とすることができる。そのため，異なる厚みの外壁板を用いた土台部であっても，その外観を同様にすることができる。それ故，外観意匠性に優れた土台部施工構造を得ることができる。
【００３０】
また，上記水切板部の下面側及び上記前板部の後面側には，上記土台水切を左右に連結する連結板を嵌合させるための接合凹部が形成されており，左右に隣合う上記土台水切は，上記接合凹部に嵌合した上記連結板を介して連結されていることが好ましい（請求項７）。
これにより，左右の土台水切が前後或いは上下にずれて配置されたり，両者の間に隙間が生じたりすることを防ぐことができる。それ故，土台部の外観意匠性を向上させることができると共に，左右の土台水切の間からの漏水を防ぐことができる。
【００３１】
【実施例】
（実施例１）
本発明の実施例にかかる土台水切及び土台部施工構造につき，図１〜図９を用いて説明する。
本例の土台水切１は，図５に示すごとく，建築物の土台部に配設されると共に，外壁板２の表側面２２を伝って流下してきた雨水を前方へ排出する。
【００３２】
上記土台水切１は，図１に示すごとく，下記の水切本体１９とこれに取り付けられたカバー部材１６とを有する。
上記水切本体１９は，建築物の構造躯体３に固定する背板部１１と，該背板部１１の下方において前方下方へ屈曲した水切板部１２と，該水切板部１２の前端から下方へ屈曲した前板部１３とを有する。また，胴縁等の下地材４を支承するための支承板部１４が，上記水切板部１２の上方において上記背板部１１から前方へ立設されている。また，上記前板部１３の後方に，カバー取付部１５が設けてある。
【００３３】
そして，上記カバー部材１６は，上記カバー取付部１５に取り付けられ，図５に示す上記前板部１３と上記土台３１の前面３１１との間における下方隙間部７１から空気を取り入れて土台部の通気を図ると共に，鼠等の小動物の侵入を防ぐ。
上記カバー部材１６は，図１，図２，図５に示すごとく，上記カバー取付部１５に接続するための接続部１６１と，上記下方隙間部７１を塞ぐ閉塞部１６２とを有する。
【００３４】
上記カバー部材１６は，上記接続部１６１と上記閉塞部１６２とが夫々の機能を充分に発揮できる硬質（例えば９０度）の樹脂により形成してなる。樹脂材料としては，例えばＰＶＣ（塩化ビニル）等がある。また，上記接続部１６１と上記閉塞部１６２とは，異なる材質で形成することもでき，その場合には，例えば，上記接続部１６１を硬質ＰＶＣにより形成し，上記閉塞部１６２を軟質ＰＶＣにより形成することができる。
即ち，上記カバー部材１６のうち少なくとも上記閉塞部１６２は，充分な可撓性を有する樹脂材料により形成されている。
【００３５】
また，上記土台水切１は，図１に示すごとく，上記カバー取付部１５を上記前板部１３の後方かつ下方に配設している。
また，図１〜図５に示すごとく，上記支承板部１４，及び上記カバー部材１６の閉塞部１６２には，上下に貫通した排水通気穴１４３，１６３が設けてある。
また，図１，図８に示すごとく，上記水切板部１２の下面１２１側及び上記前板部１３の後面１３１側には，上記土台水切１を左右に連結する連結板７２（図７）を嵌合させるための接合凹部１７が形成されている。
また，上記水切本体１９は，例えば，アルミニウム，樹脂等の押し出し成形や，ガルバリウム鋼板，カラー鋼板等により形成されている。
【００３６】
次に，上記土台水切１を用いた本例の土台部施工構造７につき，図５〜図９を用いて説明する。
該土台部施工構造７は，図５に示すごとく，建築物の構造躯体３に，上記土台水切１における背板部１１の裏側面１１１を当接させて固定し，上記背板部１１の前方に胴縁等の下地材４をその下端面４１が上記支承板部１４に当接した状態で配設している。そして，上記土台部施工構造７は，下地材４の前面４２に留め付け金具６を介して最下段の上記外壁板２を留め付けてなる。
また，上記カバー部材１６は，その後端１６６を上記土台３１の前面３１１に当接させている。
【００３７】
また，上記構造躯体３は，土台３１の上面に土台パッキン３２を介して配設された土台柱３３及び縦柱３４等からなる。上記土台パッキン３２は，左右に間隔を設けて配設してある。
また，図５に示すごとく，上記下地材４の裏面４３側には，防水紙７６が配設されている。また，上記留め付け金具６は，ビス７５によって，上記下地材４，防水紙７６，土台水切１の背板部１１を介して上記構造躯体３に固定してある。また，上記土台水切１は，背板部１１において，上記構造躯体３に釘７８によって固定されている。
【００３８】
また，上記留め付け金具６とは，外壁板２を構造躯体３に留め付けるための部材である。図５，図６に示すごとく，該留め付け金具６は，外壁板２の裏側面２３に当接する基板部６１と，該基板部６１から前方に立設された支承部６２と，該支承部６２から斜め上方へ屈曲した上板係止部６３とを有する。また，上記上板係止部６３及び下板係止部６４の前方には，前方平板部６３４が形成されている。また，上記基板部６１は，その上部において斜め後方に後退した斜面部６１１を有すると共に，下端部６１１において略９０°後方に屈曲した下方脚部６１２を有する。
【００３９】
上記留め付け金具６は，図５に示すごとく，上記支承部６２によって最下段の外壁板２の下辺部２１を支承すると共に，上記上板係止部６３によって上記外壁板２の下辺部２１を係止する。なお，上記留め付け金具６は，上記支承部６２から斜め下方へ屈曲した下板係止部６４を有しており，土台部以外にも用いられる（図示略）。この場合には，上記下板係止部６４によって下側の外壁板２の上辺部を係止する一方で，上記支承部６２によって上側の外壁板２の下辺部２１を支承すると共に，上記上板係止部６３によって上記外壁板２の下辺部２１を係止する。
【００４０】
また，図９に示すごとく，左右に隣合う上記土台水切１は，上記接合凹部１７に嵌合した上記連結板７２を介して連結されている。
該連結板７２は，図７に示すごとく，断面略Ｌ字状の金属板或いは樹脂板からなる。そして，図８に示すごとく，上記連結板７２は，上記土台水切１に設けた２つの接合凹部１７に，両端部７２１を嵌合させつつ，水切部１２の下面１２１と前板部部１３の後面１３１に沿った状態で配設される。
かかる状態で，上記連結板７２を左右の土台水切１に嵌合させることにより，図９に示すごとく，該左右の土台水切１を連結することができる。
【００４１】
次に，本例の作用効果につき説明する。
上記カバー部材１６における上記閉塞部１６２は可撓性を有する樹脂により形成されている。そのため，図５に示すごとく，上記閉塞部１６２を上記土台３１の前面３１１に容易かつ確実に当接させることができる。
【００４２】
即ち，上記土台３１の前面３１１と上記土台水切１の位置関係が規定寸法に保たれていない場合にも，上記閉塞部１６２の前後方向の長さを予め長めに形成しておくことにより，上記カバー部材１６の閉塞部１６２の後端１６６を上記土台３１の前面３１１に確実に当接させることができる。そして，上記閉塞部１６２が可撓性を有する樹脂により形成されていることによって，該閉塞部１６２が邪魔になることなく，上記土台水切１を容易に施工できる。
【００４３】
これにより，上記カバー部材１６が上記下方隙間部７１を確実に塞いで，防鼠機能を確実に発揮するよう施工することができると共に，施工が容易となる。
また，上記土台水切１は，上記カバー部材１６を水切本体１９に取り付けることにより形成される。それ故，上記外壁板１の厚みに応じて，水切本体１９を変更して，水切板部１２の長さの異なるものを使用する際にも，同種の上記カバー部材１６を用いることができる。そのため，安価な土台部施工構造７を得ることができる。
【００４４】
また，図１，図２，図４，図５に示すごとく，上記カバー部材１６の閉塞部１６２には，上下に貫通した排水通気穴１６３が設けられている。そのため，該排水通気穴１６３から外気を取り入れ，土台パッキン３２の間を通過させることにより，土台部の通気を図ることができる。
【００４５】
また，上記カバー部材１６は，上記接続部１６１と上記閉塞部１６２とが夫々の機能を充分に発揮できる硬質の樹脂により形成してなる。そのため，上記カバー部材１６を上記カバー取付部１５に，容易かつ安定して取り付けることができると共に，上記カバー部材１６の後端１６６，即ち上記閉塞部１６２の後端を，上記土台３１の前面３１１に一層確実に当接させることができる。
【００４６】
また，上記支承板部１４には，排水通気穴１４３が設けてある（図１，図３，図５）。そのため，構造躯体３と外壁板２との間において，万一，結露，或いは雨水の浸入があった場合にも，これらの水は流下して上記排水通気穴１４３から，水切板部１２の上面へ排出される。
【００４７】
また，上記水切板部１２の下面１２１側及び上記前板部１３の後面１３１側には，上記接合凹部１７が形成されている。これにより，上記土台水切１を複数個左右に継ぎ合せて配設した場合，隣合う左右の土台水切１を上記連結板７２によって簡単に連結することができる。そのため，左右の土台水切１が前後或いは上下にずれて配置されたり，両者の間に隙間が生じたりすることを防ぐことができる。
それ故，土台部の外観意匠性を向上させることができると共に，左右の土台水切１の間からの漏水を防ぐことができる。
【００４８】
以上のごとく，本例によれば，防鼠機能を確実に発揮すると共に，土台部の通気を確保することができ，かつ施工容易な土台水切及び土台部施工構造を提供することができる。
【００４９】
（実施例２）
本例は，図１０，図１１に示すごとく，土台部施工構造７に厚みの大きい外壁板２を用いると共に，これに応じて長い水切板部１２を有する土台水切１０を用いた例である。上記外壁板２の厚みは，例えば約２５ｍｍである。
上記土台水切１０は，前板部１３に対する上記カバー取付部１５の前面の位置が，あたかも一定の位置にあるように見せるための化粧板１８を配設してなる。
【００５０】
即ち，上記土台水切１０は，最下段の上記外壁板２の厚みに応じた長さの水切板部１２を有している。そして，上記土台水切１０は，上記カバー取付部１５と上記背板部１１との互いの位置関係，及び上記化粧板１８と上記前板部１３との互いの位置関係が，それぞれ略一定となるよう配置している。
また，上記化粧板１８は，図１，図５に示すごとく，上記カバー取付部１５の前面部分１５１と一体となっていてもよい。
【００５１】
従って，例えば，厚み１６ｍｍの外壁板２を土台部に配設する場合には，上記外壁板２の厚み（１６ｍｍ）に応じた，図１に示す土台水切１を用いる（図５）。また，例えば，厚み２５ｍｍの外壁板２を土台部に配設する場合には，上記外壁板２の厚み（２５ｍｍ）に応じた，図１０に示す土台水切１０を用いる（図１１）。
２種類の土台水切１，１０は，上記水切板部１２の長さが異なるが，上記化粧板１８と上記前板部１３との位置関係，即ち前後方向に関する両者間の距離Ａは，略同じである（図５，図１１）。
【００５２】
各土台水切１，１０は，上記カバー取付部１５と上記背板部１１との互いの位置関係，即ち前後方向に関する両者間の距離Ｂについても略一定となるように形成されている（図５，図１１）。そして，カバー部材１６は，同様の形状のものを用いている。
その他は，実施例１と同様である。
【００５３】
この場合には，異なる厚みの外壁板２を用いるのに伴い，異なる形状の水切本体１，１０を用いる場合にも，同寸法のカバー部材１６を用いることができる。それ故，土台部施工構造７を安価に得ることができる。
また，上記化粧板１８を上記のごとく配設することにより，外壁板２の表側面２２と，土台水切の前板部１３と，化粧板１８との位置関係を，略一定とすることができる。そのため，異なる厚みの外壁板２を用いた土台部であっても，その外観を同様にすることができる。それ故，外観意匠性に優れた土台部施工構造７を得ることができる。
その他，実施例１と同様の作用効果を有する。
【００５４】
（実施例３）
本例は，図１２〜図１４に示すごとく，スペーサ部５３を有する留め付け金具５を用いた土台部施工構造７０の例である。
上記留め付け金具５は，図１４に示すごとく，平坦な裏側面５１１を有する基板部５１と，該基板部５１から前方に立設された支承部５２とを有する。また，上記留め付け金具５は，上記支承部５２から上方へ屈曲した上板係止部５２１と，上記支承部５２から下方へ屈曲した下板係止部５２２と，上記基板部５１の左右両側に形成されたスペーサ部５３とを有する。該スペーサ部５３は，上記基板部５１よりも前方かつ上記支承部５２の前端５２３より後方に形成されている。
【００５５】
上記スペーサ部５３は，図１４に示すごとく，上記基板部５１の左右両側を前方に屈曲させた後，外側に屈曲させ，更に，後方へ屈曲させることにより断面コ字状に形成してある。
また，上記上板係止部５２１の先端と下板係止部５２２の先端は，前方平板部５２４によって連結されている。
【００５６】
上記土台部施工構造７０は，図１２，図１３に示すごとく，実施例１又は２において示した土台水切１，１０を，建築物の土台部に配設してなる。
上記土台部施工構造７０においては，上記建築物の構造躯体３に，上記背板部１１の裏側面１１１を当接させて固定している。そして，上記背板部１１の前方に上記留め付け金具５をその下端面５９が上記土台水切１，１０の支承板部１４に当接した状態で配設する。
また，該留め付け金具５に最下段の上記外壁板２を係止させている。即ち，上記外壁板２の裏側面２３をスペーサ部５３に当接させ，下辺部２１を上記支承部５２に支承させると共に，上記上板係止部５２１に係止させている。
【００５７】
また，図１２，図１３に示すごとく，上記土台部施工構造７０は，実施例２と同様に，異なる厚みの外壁板２を用い，更に該外壁板２の厚みに応じた土台水切１，１０を用いて施工してある。その他は，実施例１と同様である。
【００５８】
この場合には，上記留め付け金具５のスペーサ部５３により，構造躯体３と外壁板２との間に通気層７７を形成することができる。そのため，胴縁等の下地材を施工する必要がないため，簡単な構造で，施工容易で，安価な土台部施工構造を得ることができる。
その他，実施例１及び実施例２と同様の作用効果を有する。
【００５９】
（実施例４）
本例は，図１５〜図１８に示すごとく，土台水切の水切本体とカバー部材との接合方法を，種々に変化させた例である。
図１５〜図１８に示す土台水切１ａ〜１ｄは，カバー取付部１５の前面部分を，前板部１３の下方に連続させて配置している。
【００６０】
そして，図１５に示す土台水切１ａは，上記カバー部材１６の接続部１６１に上下一対の突出部１６ａを有しており，該一対の突出部１６ａを上記水切本体１９のカバー取付部１５に差し込むことにより，上記水切本体１９にカバー部材１６を取り付けている。
【００６１】
図１６に示す土台水切１ｂは，カバー取付部１５が上方嵌合部１５ｂと後方嵌合部１５ｅとを有している。また，上記カバー部材１６の接続部１６１は，上方係止端１６ｂと後方係止端１６ｅとを有する。そして，上記上方係止端１６ｂを上記上方嵌合部１５ｂに嵌入し，上記後方係止端１６ｅを後方嵌合部１５ｅに嵌入することにより，上記水切本体１９にカバー部材１６を取り付けている。
【００６２】
図１７に示す土台水切１ｃは，カバー取付部１５に，互いに対向して形成された上方嵌合部１５ｃと下方嵌合部１５ｆとを有している。また，上記カバー部材１６の接続部１６１は，互いに反対側へ突出形成された上方係止端１６ｃと下方係止端１６ｆとを有する。そして，上記上方係止端１６ｃを上記上方嵌合部１５ｃに嵌入し，上記下方係止端１６ｆを下方嵌合部１５ｆに嵌入することにより，上記水切本体１９にカバー部材１６を取り付けている。
【００６３】
図１８に示す土台水切１ｄは，カバー取付部１５に，共に上方へ向って折り曲げられた，上方屈曲部１５ｄと下方屈曲部１５ｇとを有する。また，上記カバー部材１６の接続部１６１は，共に下方へ突出した，上方鈎部１６ｄと下方鈎部１６ｇとを有する。そして，上記上方鈎部１６ｄを上記上方屈曲部１５ｄに係止し，上記下方鈎部１６ｇを上記下方屈曲部１５ｇに係止することにより，上記水切本体１９にカバー部材１６を取り付けている。
なお，本発明には，上述の接合方法以外にも，種々の接合方法を適用することができる。
【００６４】
（実施例５）
本例は，図１９に示すごとく，背板部１１が外側になる状態で上面視略Ｌ字状に形成した土台水切１の例である。該土台水切１は，建築物の入隅部における土台部分に配設する。その他は，実施例１と同様である。
これにより，実施例１と同様の作用効果を有する土台部施工構造を入隅部において構成することができる。
【００６５】
（実施例６）
本例は，図２０に示すごとく，背板部１１が内側になる状態で上面視略Ｌ字状に形成した土台水切１の例である。該土台水切１は，建築物の出隅部における土台部分に配設する。その他は，実施例１と同様である。
これにより，実施例１と同様の作用効果を有する土台部施工構造を出隅部において構成することができる。
【図面の簡単な説明】
【図１】実施例１における，土台水切の斜視図。
【図２】実施例１における，カバー部材の斜視図。
【図３】実施例１における，土台水切の上面図。
【図４】実施例１における，カバー部材の上面図。
【図５】実施例１における，土台部施工構造の縦断面図。
【図６】実施例１における，留め付け金具の斜視図。
【図７】実施例１における，連結板の斜視図。
【図８】実施例１における，土台水切に嵌合された連結板の斜視図。
【図９】実施例１における，左右の土台水切の接合部分を示す上面図。
【図１０】実施例２における，土台水切の斜視図。
【図１１】実施例２における，土台部施工構造の縦断面図。
【図１２】実施例３における，土台部施工構造の縦断面図。
【図１３】実施例３における，厚みの大きい外壁板を配設した土台部施工構造の縦断面図。
【図１４】実施例３における，留め付け金具の斜視図。
【図１５】実施例４における，土台水切の水切本体とカバー部材との接合方法の説明図。
【図１６】実施例４における，土台水切の水切本体とカバー部材との接合方法の説明図。
【図１７】実施例４における，土台水切の水切本体とカバー部材との接合方法の説明図。
【図１８】実施例４における，土台水切の水切本体とカバー部材との接合方法の説明図。
【図１９】実施例５における，土台水切の上面図。
【図２０】実施例６における，土台水切の上面図。
【図２１】従来例における，土台部施工構造の縦断面図。
【図２２】従来例における，不具合の生じた土台部施工構造の縦断面図。
【符号の説明】
１．．．土台水切，
１１．．．背板部，
１２．．．水切板部，
１３．．．前板部，
１４．．．支承板部，
１５．．．カバー取付部，
１６．．．カバー部材，
１６１．．．接続部，
１６２．．．閉塞部，
１６３．．．排水通気穴，
１７．．．接合凹部，
１９．．．水切本体，
２．．．外壁板，
２１．．．下辺部，
２２．．．表側面，
３．．．構造躯体，
４．．．下地材，
５．．．留め付け金具，
６．．．留め付け金具，
７，７０．．．土台部施工構造，
７１．．．下方隙間部，
７２．．．連結板，
【図１】
0003633549.tif 000002
【図２】
0003633549.tif 000003
【図３】
0003633549.tif 000004
【図４】
0003633549.tif 000005
【図５】
0003633549.tif 000006
【図６】
0003633549.tif 000007
【図７】
0003633549.tif 000008
【図８】
0003633549.tif 000009
【図９】
0003633549.tif 000010
【図１０】
0003633549.tif 000011
【図１１】
0003633549.tif 000012
【図１２】
0003633549.tif 000013
【図１３】
0003633549.tif 000014
【図１４】
0003633549.tif 000015
【図１５】
0003633549.tif 000016
【図１６】
0003633549.tif 000017
【図１７】
0003633549.tif 000018
【図１８】
0003633549.tif 000019
【図１９】
0003633549.tif 000020
【図２０】
0003633549.tif 000021
【図２１】
0003633549.tif 000022
【図２２】
0003633549.tif 000023